(57)【要約】  携帯端末充電装置は、複数の充電コイルと、複数の検出コイルと、これらの充電コイルおよび検出コイルに電気的に接続された制御部とを有する。制御部は、複数の検出コイルを駆動し、駆動時に複数の検出コイルにより検出されるインピーダンス変化を監視する。そして、複数の充電コイルのうち、インピーダンス変化を検出した検出コイルに対応する充電コイルを選択し、選択された充電コイルから磁界を出力させる。この磁界に呼応して携帯端末との間で取り決められた応答信号を受信した場合、選択された充電コイルを用いて携帯端末を充電する。
2016002205.tif 000002
【特許請求の範囲】
【請求項１】
携帯端末に対し、ワイヤレスで充電電力を送信するための携帯端末充電装置であって、
複数の充電コイルと、
複数の検出コイルと、
前記複数の充電コイルおよび前記複数の検出コイルに電気的に接続された制御部と、を備え、
前記制御部は、
前記複数の検出コイルを駆動し、
前記複数の検出コイルの駆動時に前記複数の検出コイルにより検出されるインピーダンス変化を監視し、
前記複数の充電コイルのうち、インピーダンス変化を検出した検出コイルに対応する充電コイルを選択し、前記選択された充電コイルから磁界を出力させ、
前記磁界に呼応して前記携帯端末との間で取り決められた応答信号を受信した場合、前記選択された充電コイルを用いて前記携帯端末を充電する、
携帯端末充電装置。
【請求項２】
前記複数の検出コイルの配列方向における前記複数の検出コイルの各々の幅は、前記複数の充電コイルの配列方向における前記複数の充電コイルの各々の幅の２分の１以上の大きさである、
請求項１に記載の携帯端末充電装置。
【請求項３】
前記複数の検出コイルは、第１の組と第２の組とからなり、前記第１の組に属する検出コイルの配列方向における前記第１の組に属する各検出コイルの端部と、前記第２の組に属する検出コイルの配列方向における前記第２の組に属する各検出コイルの中心とが、平面視で同一線上に位置する、
請求項１、２のいずれか一項に記載の携帯端末充電装置。
【請求項４】
前記複数の検出コイルは、第１の組と第２の組とからなり、前記第１の組に属する検出コイルの配列方向における前記第１の組に属する各検出コイルの中心と、前記複数の充電コイルの配列方向における前記複数の充電コイルのうちの１つの中心とが平面視して同一の線状に配置され、
前記第２の組に属する検出コイルの配列方向における前記第２の組に属する各検出コイルの中心と、前記複数の充電コイルの配列方向における前記複数の充電コイルのうちの１つの端とが平面視して重なる、
請求項１、２のいずれか一項に記載の携帯端末充電装置。
【請求項５】
前記第１の組に属する検出コイルのいずれかにおいて、最大のインピーダンス変化が検出された場合、前記制御部は、前記最大のインピーダンス変化が検出された検出コイルの真下に位置する充電コイルを選択する、
請求項４に記載の携帯端末充電装置。
【請求項６】
前記第２の組に属する検出コイルのいずれかにおいて、最大のインピーダンス変化が検出された場合、前記制御部は、前記最大のインピーダンス変化が検出された検出コイルの両隣の検出コイルにおけるインピーダンス変化を参照し、前記両隣の検出コイルの内、インピーダンス変化が大きい方の検出コイルの真下に位置する充電コイルを選択する、
請求項４に記載の携帯端末充電装置。
【請求項７】
前記制御部は、前記充電コイルより送信された磁界に呼応して、前記携帯端末との間で取り決められた応答信号を受信しなかった場合、再び、前記複数の検出コイルにより検出されるインピーダンス変化を監視する、
請求項１〜６のいずれか一項に記載の携帯端末充電装置。
【発明の詳細な説明】
【技術分野】
【０００１】
本発明は、携帯電話などの携帯端末を充電するための携帯端末充電装置と、それを搭載した自動車に関する。
【背景技術】
【０００２】
携帯電話等の携帯端末は、その機能が極めて高くなり、それにつれて電力消費も大きくなっている。【０００３】
したがって、自動車内を含め、各所で充電が行えることが求められているが、近年の傾向として、ケーブルを使わずに、いわゆるワイヤレス充電が行える携帯端末充電装置が脚光を浴びている。【０００４】
すなわち、このような充電装置は、表面側が携帯端末設置部となった支持板と、この支持板の裏面側に、この支持板に対向して配置された充電コイルとを備える。携帯端末設置部に携帯端末が置かれると、充電コイルからの磁束で、携帯端末への充電を行うことが出来るようになっているのである（これに類似するものとしては、例えば下記特許文献１が存在する）。
【先行技術文献】
【特許文献】
【０００５】
【特許文献１】特表２０１２−５２３８１４号公報
【発明の概要】
【０００６】
本発明は、電力のロスを低減し、さらに、電磁波を利用する他の機器への悪影響を抑えた携帯端末充電装置を提供する。
【０００７】
本発明の一態様による携帯端末充電装置は、複数の充電コイルと、複数の検出コイルと、これらの充電コイルおよび検出コイルに電気的に接続された制御部とを有する。制御部は、複数の検出コイルを駆動し、駆動時に複数の検出コイルにより検出されるインピーダンス変化を監視する。そして、複数の充電コイルのうち、インピーダンス変化を検出した検出コイルに対応する充電コイルを選択し、選択された充電コイルから磁界を出力させる。この磁界に呼応して携帯端末との間で取り決められた応答信号を受信した場合、選択された充電コイルを用いて携帯端末を充電する。
【０００８】
また、本発明の一態様は、上記の携帯端末充電装置を搭載した自動車である。
【０００９】
本発明に係る携帯端末充電装置によれば、携帯端末の位置を検出する際のピング動作を減らすことができるため、電力ロスが小さく、また、電磁波を使用する他の機器への影響を抑えることができる。
【図面の簡単な説明】
【００１０】
【図１】本発明の実施の形態１による携帯端末充電装置を自動車の車内に設置した状態を示す斜視図
【図２】図１に示す携帯端末充電装置の斜視図
【図３】図２に示す携帯端末充電装置に携帯端末が置かれた状態を示す斜視図
【図４】図２に示す携帯端末充電装置の透視側面図
【図５】図２に示す携帯端末充電装置の一部を示す図
【図６】図２に示す携帯端末充電装置の他の一部を示す図
【図７】図２に示す携帯端末充電装置の制御ブロック図
【図８】図２に示す携帯端末充電装置の動作フローチャート
【図９】図２に示す携帯端末充電装置の構造および動作例を示す図
【図１０】本発明の実施の形態２による携帯端末充電装置の構造および動作例を示す図
【発明を実施するための形態】
【００１１】
本発明の実施の形態の説明に先立ち、従来の携帯端末充電装置（以下、充電装置）における問題点を説明する。特許文献１に記載された充電装置では、マルチコイル方式が採用されている。マルチコイル方式では、複数の充電コイルのうち、携帯端末が置かれた位置に対応する一部のコイルのみを充電に使用する。
【００１２】
具体的には、特許文献１では、二次デバイス（充電対象）が充電装置の上に置かれたこと、およびその位置を検知するために、各充電コイルで順番に短い時間の磁界出力（ピング  Ｐｉｎｇ）を行う。二次デバイスが充電面に置かれている場合には、ピングに反応して二次デバイスから二次デバイスの情報が充電装置に送信される。そして充電装置がそれを受け取ることで通信が成立し、本格的に充電が開始される。このとき、充電装置の複数の充電コイルの内、二次デバイスから送信された情報の受信強度が高かったコイルが選択され、この選択されたコイルを用いて充電が行われる。このため、二次デバイスが置かれた位置に対応する充電コイルのみが本格的な充電に使用される。
【００１３】
しかし、この方式では、二次デバイスが充電装置に設置されていない間も常に、各充電コイルがピングを繰り返す。そのため、空気中に磁界を発生させ、電力のロスが大きい。
【００１４】
また、充電装置が自動車に搭載されることを想定した場合、ピングにより繰り返し発生する磁界が、電磁波を利用する他の車載機器へ悪影響を及ぼす虞がある。例えば車載ラジオの周波数帯へ干渉して音声を劣化させる。
【００１５】
以下、本発明の実施の形態による携帯端末充電装置、およびそれを自動車に搭載した例を、図面を参照しながら説明する。
【００１６】
（実施の形態１）
図１は、本発明の実施の形態１による携帯端末充電装置５を自動車の車室２内に設置した状態を示す斜視図、図２は、携帯端末充電装置５の斜視図、図３は、携帯端末充電装置５に携帯端末２３が置かれた状態を示す斜視図である。
【００１７】
図１において、自動車１の車室２内の前方にはハンドル３が設置されている。また、ハンドル３の側方には、音楽や、映像の再生と、カーナビゲーション映像等を映し出す電子機器４が設置されている。さらに、車室２内の電子機器４の後方には、携帯端末充電装置５が設置されている。
【００１８】
図２に示すように、携帯端末充電装置５は、上部に支持板６を配置した箱型の本体ケース７を有する。図３に示すように、支持板６上面（携帯端末設置部）に携帯端末２３を設置することにより、携帯端末２３をワイヤレスで充電することができる。
【００１９】
次に、本体ケース７の内部について詳細に説明する。図４は、本体ケース７を透視して示した側面図である。本体ケース７の内部には、複数の充電コイルが形成された充電コイル基板８と、複数の検出コイルが形成された検出コイル基板９とが搭載されている。さらに、充電コイル、および検出コイルと電気的に接続された制御部１０が搭載されている。
【００２０】
図５、図６はそれぞれ、携帯端末充電装置５の一部である充電コイル基板８、検出コイル基板９を示す図である。
【００２１】
図５に示すように、充電コイル基板８には、複数の充電コイル１１が形成されている。本実施の形態では、５つの充電コイルＬｃ１〜Ｌｃ５が設けられている。各々の充電コイルは、金属線材をスパイラル上に巻きつけて形成されている。
【００２２】
図６に示すように、検出コイル基板９には、複数の検出コイル１２が形成されている。複数の検出コイル１２は、検出コイル基板９の下面（本体ケース７の底板に対向するの面）に形成された第１の組の５つの検出コイルＬ１、Ｌ３、Ｌ５、Ｌ７、Ｌ９と、検出コイル基板９の上面（支持板６に対向するの面）に形成された第２の組の４つの検出コイルＬ２、Ｌ４、Ｌ６、Ｌ８とを含む。複数の検出コイル１２は、第１の組の検出コイルの配列方向における端部と、第２の組の検出コイルの配列方向における中心とが同一線上に位置するよう、平面視して重なるように配置されている。なお、図６では、説明上の分かり易さのため、第１の組の検出コイルを、第２の組の検出コイルに対し、紙面下方向にずらして示している。実際は、平面的に見て、第１の組の検出コイルの長辺の中点と第２の組の検出コイルの長辺の中点とが、同一線上に配置されるのが好ましい。
【００２３】
図７は、携帯端末充電装置５の制御ブロック図であり、制御部１０の詳細を示している。制御部１０は、検出コイル駆動部１３と、充電コイル駆動部１４とを有する。検出コイル駆動部１３は、自励発振回路１５と、検出コイル選択回路１６と、インピーダンス測定回路１７とを有する。インピーダンス測定回路１７は、複数の検出コイル１２の各々のインピーダンスの変化を監視する。検出コイル選択回路１６は、複数の検出コイル１２の各々と、自励発振回路１５およびインピーダンス測定回路１７とを、選択的に接続する。
【００２４】
一方、充電コイル駆動部１４は、充電回路１８と、充電コイル選択回路１９とを有する。充電コイル選択回路１９は、複数の充電コイル１１の各々と充電回路１８とを選択的に接続する。充電回路１８は、車載電源（バッテリー）からの直流電力を、適切な振幅、周波数の交流電力に変換し、充電コイル１１に供給する。具体的には、充電回路１８は、ＤＣ−ＤＣコンバータ２０と、フルブリッジインバータ２１とを含む。
【００２５】
制御部１０に内蔵されたメモリ（図示せず）には、後に説明する検出コイル１２のインピーダンス変化を判定するための閾値が記憶されている。
【００２６】
次に、本実施の形態の携帯端末充電装置の動作について、図８を参照しながら説明する。
【００２７】
図２に示す電源スイッチ２２が押され、電源がオンとなると、制御部１０は、支持板６の上面（携帯端末設置部）に携帯端末２３が置かれたかどうかを検出するとともに、携帯端末２３の置かれた位置（正確には、携帯端末内部の受電コイルの位置）を検出する。具体的には、自励発振回路１５がＯＮとなり、複数の検出コイル１２に対してパルス波が出力される（Ｓ１）。このとき、インピーダンス測定回路１７が複数の検出コイル１２の各々のインピーダンスを順に測定する（Ｓ２）。そして、複数の検出コイル１２のうち、何れの検出コイルでインピーダンスの変化があったかを監視する（Ｓ３）。なお、検出コイルから送信される磁界は、後に述べるピング動作の際に出力される磁界に比べて、その出力電圧が極めて小さいため、電磁波を利用する他の車載機器への影響は少ない。例えば、検出コイルの発振電圧が３．３Ｖであるのに対し、ピング動作の出力電圧は１０Ｖ以上である。携帯端末が支持板６の上面に置かれると、受電コイルの位置に対応する検出コイルで測定されるインピーダンスの値が、携帯端末２３が置かれていない場合と比較して増加する。よって、制御部１０は、複数の検出コイル１２の内のどの検出コイルにインピーダンス変化が生じたかによって、携帯端末２３が置かれた位置を推定することができる。実際には、この時点では支持板６の上面に置かれた物体が充電可能な携帯端末か否かは判別できておらず、何らかの金属物体が置かれたこと、およびその位置を検出している。後に示すＳ７において上記物体との通信が成立してはじめて、制御部１０は、その物体が充電可能な携帯端末であると判断し、充電動作に入る。Ｓ７において通信が成立しない場合、制御部１０は、その物体は携帯端末ではなく、硬貨等の金属異物であると判断し、充電動作には入らない。
【００２８】
Ｓ３において、インピーダンス変化を監視する方法の一例として、インピーダンス測定回路１７は、検出コイル１２の各々の共振周波数、または共振電圧、あるいはその双方を測定し、メモリに記憶された閾値と比較する。閾値は、携帯端末２３が置かれていない場合の通常レベルの共振周波数や共振電圧の値に設定されている。複数の検出コイル１２の何れかにおいて、共振周波数または共振電圧の変化、あるいはその双方の変化が生じたことによって、インピーダンスが変化したことが分かる。より詳細には、共振電圧の変化がインピーダンス変化の抵抗成分（Ｒ成分）を、共振周波数がインピーダンス変化のリアクタンス成分（Ｌ成分）を、それぞれ反映している。支持板６の上面に金属製の物体が置かれると、共振周波数は増加し、共振電圧は低下する。
【００２９】
Ｓ３において、インピーダンスの変化を検知した場合、処理はＳ４へ移る。インピーダンスの変化を検知しなかった場合、処理は、再びＳ２に戻り、検出コイル１２のインピーダンス測定をやり直す。
【００３０】
Ｓ４〜Ｓ７において、制御部１０は、支持板６の上面に置かれた物体が、充電可能な携帯端末であるか否かを確認する。具体的には、複数の充電コイル１１の中で、インピーダンス変化を検出した検出コイルに対応する充電コイルを選択し（Ｓ４）、選択された充電コイルから、磁界を出力させる（Ｓ６）。なお、充電コイルからの磁界出力の前に、自励発振回路１５は一旦ＯＦＦされる（Ｓ５）。
【００３１】
次に、制御部１０は、選択された充電コイルからの磁界出力に呼応して、携帯端末との間で予め取り決められた応答信号が得られたかどうかを確認する（Ｓ７）。Ｓ７において予め取り決められた応答信号が得られた場合、携帯端末２３と通信が成立したと判断し、本格的な充電動作に入る（Ｓ８）。Ｓ７において、予め取り決められた応答信号が得られなかった場合は、通信不成立と判断し、処理は再びＳ１に戻る。
【００３２】
このように、携帯端末２３からの応答有無を判断するまでの短い時間、磁界を出力する動作を、ピング（Ｐｉｎｇ）動作と呼ぶ。
【００３３】
ここで、携帯端末充電装置５がＳ４〜Ｓ７の動作を行う期間において、携帯端末２３が行う動作を説明する。携帯端末２３は、携帯端末充電装置５の充電コイルから出力された磁界を受信したことに呼応し、予め取り決められた応答信号を携帯端末充電装置５に返送する。このとき、携帯端末２３は、受電コイルに接続された負荷の値を変動させる。この負荷変動の反射インピーダンスを携帯端末充電装置５の充電コイルに接続された信号受信回路が検出することにより、応答信号が受信される。このような信号の送受方法を負荷変調と呼ぶ。携帯端末２３から返送される応答信号は、通信が成立したことを示すだけの単純な信号であっても良いし、携帯端末２３の種類等を示すＩＤ情報を含んでいても良い。
【００３４】
携帯端末充電装置５の動作の説明に戻る。充電動作中（Ｓ８）において、制御部１０は、携帯端末２３との通信が継続して成立しているかを監視し、通信が継続していれば、充電を継続する。通信が途絶えた場合、処理はＳ１に戻り、携帯端末の有無を再度確認する。また、充電動作中（Ｓ８）において、制御部１０は、携帯端末２３より充電が完了したことを示す信号が送信されたか否かを監視し、充電が完了していなければ充電を継続し、充電が完了していれば、充電を停止する（Ｓ９）。
【００３５】
次に、上述のＳ３において検出されたインピーダンス変化の結果から、Ｓ４において選択する充電コイルをどのように決定するかについて説明する。
【００３６】
図９は、携帯端末充電装置５における充電コイル１１と検出コイル１２との配置関係、および、検出コイル１２上に受電コイル２４が置かれたときに各検出コイルで検出されるインピーダンス変化の例を説明する図である。図９では、説明上の分かり易さのため、検出コイル基板９を、充電コイル基板８に対し、紙面下方向にずらして示している。また、図６と同様に、検出コイルＬ１、Ｌ３、Ｌ５、Ｌ７、Ｌ９は、検出コイルＬ２、Ｌ４、Ｌ６、Ｌ８に対し、紙面下方向にずらして示している。実際は、平面的にみて、充電コイルの長辺の中点と検出コイルの長辺の中点とが、同一線上に配置されるのが好ましい。
【００３７】
本実施の形態では、検出コイル１２には、充電コイル１１のほぼ真上に配置されるものと、隣り合う２つの充電コイル上に跨って配置されるものとがある。
【００３８】
本実施の形態では、検出コイルＬ１、Ｌ３、Ｌ５、Ｌ７、Ｌ９では各々の検出コイルの配列方向における中心と、各々の充電コイルの配列方向における中心とが、ほぼ同一の線上に位置する。そのため、検出コイルＬ１、Ｌ３、Ｌ５、Ｌ７、Ｌ９はそれぞれ、対応する充電コイルのそれぞれのほぼ真上に配置されている。一方、検出コイルＬ２、Ｌ４、Ｌ６、Ｌ８では、各々の検出コイルの配列方向における中心が、充電コイルの配列方向における端と重なっている。そのため検出コイルＬ２、Ｌ４、Ｌ６、Ｌ８は、隣り合う２つの充電コイルに跨って配置されている。
【００３９】
なお、このようなレイアウトの場合、各検出コイルの幅は、各充電コイルの幅の２分の１以上の大きさとすることが好ましい。検出コイルの幅が充電コイルの幅の２分の１よりも小さいと、検出コイル同士の間に隙間ができる。また、各検出コイルの長さは、各充電コイルの長さと略同一であることが好ましい。この構成により、充電コイルの概ね全領域を、検出コイルにより過不足なくカバーすることができる。なお、上述の説明において、「幅」とは、コイルの配列方向における長さであり、「長さ」とは「幅」に垂直な方向の長さを意味する。
【００４０】
インピーダンス測定回路１７は、複数の検出コイル１２のうち、どの検出コイルで最大のインピーダンス変化が検出されたかを判断する。上述した検出コイルＬ１、Ｌ３、Ｌ５、Ｌ７、Ｌ９の何れかで最大のインピーダンス変化が検出された場合、制御部１０は、最大のインピーダンス変化が検出された検出コイルの真下にある充電コイルを、対応する充電コイルとして選択する。
【００４１】
一方、検出コイルＬ２、Ｌ４、Ｌ６、Ｌ８の何れかで最大のインピーダンス変化が検出された場合、制御部１０は、携帯端末２３の受電コイル２４が２つの充電コイルの間に跨って置かれたと判断する。そして、制御部１０は、最大のインピーダンス変化が検出された検出コイルの左右両隣（検出コイルの配列方向における両隣）の検出コイルにおけるインピーダンス変化も参照する。次に、制御部１０は、これら左右両隣の検出コイルにおいて検出されたインピーダンス変化の大小を比較する。図９の例では、検出コイルＬ４において最大のインピーダンス変化が検出されたため、制御部１０は、左右の検出コイルＬ３、Ｌ５におけるインピーダンス変化を参照する。図９の例では、右側の検出コイルＬ５で検出されたインピーダンス変化の方が大きい。この結果から、制御部１０は、携帯端末２３の受電コイル２４が、検出コイルＬ４の中心に対して右側（検出コイルＬ５寄り）にずれていると判断し、検出コイルＬ４が跨る２つの充電コイルＬｃ２、Ｌｃ３の内、右側（検出コイルＬ５寄り）の充電コイルＬｃ３を選択する。
【００４２】
このようにして、置かれた受電コイル２４の位置に対し、最適な充電コイルが選択される。
【００４３】
（実施の形態２）
図１０は、本発明の実施の形態２による携帯端末充電装置における充電コイル１１と検出コイル１２との配置関係、および、検出コイル１２上に受電コイル２４が置かれたときに各検出コイルで検出されるインピーダンス変化の例を説明する図である。
【００４４】
本実施の形態では、実施の形態１と比べ、検出コイル１２の数、および充電コイル１１と検出コイル１２の配置関係が異なる。実施の形態１では、奇数番号の振られた検出コイル、すなわち検出コイル基板９の下面（本体ケース７の底板に対向する面）に形成された検出コイルの各々が、充電コイル１１の各々の真上に配置され、これらが第１の組の検出コイルを構成している。一方、偶数番号の振られた検出コイル、すなわち検出コイル基板９の上面（支持板６に対向する面）に形成された検出コイルの各々が、隣り合う２つの充電コイル上に跨って配置され、これらが第２の組の検出コイルを構成している。本実施の形態では、充電コイル１１と検出コイル１２とが実施の形態１とは異なるレイアウトで配置されている。それ以外の構成は実施の形態１と同様である。
【００４５】
本実施の形態では、検出コイルＬ１、Ｌ３、Ｌ６、Ｌ８では、各々の検出コイルの配列方向における中心と、対応する充電コイルのそれぞれの配列方向における中心とが、ほぼ同一の線上に位置する。すなわち、検出コイルＬ１、Ｌ３、Ｌ６、Ｌ８は対応する充電コイルのそれぞれのほぼ真上に配置されている。この４つの検出コイルを、第１の組の検出コイルとする。一方、検出コイルＬ２、Ｌ４、Ｌ５、Ｌ７では、各々の検出コイルの配列方向における中心が、対応する充電コイルのそれぞれの配列方向における端と重なる。すなわち、検出コイルＬ２、Ｌ４、Ｌ５、Ｌ７は、隣り合う２つの充電コイルに跨って配置されている。この４つの検出コイルを第２の組の検出コイルとする。なお、充電コイルＬｃ３の真上に位置する検出コイルはない。
【００４６】
実施の形態２の動作は、次の通りである。まず、第１の組の検出コイル（Ｌ１、Ｌ３、Ｌ６、Ｌ８）の何れかで最大のインピーダンス変化が検出された場合は、最大のインピーダンス変化が検出された検出コイルの真下にある充電コイルが、対応する充電コイルとして選択される。
【００４７】
一方、第２の組の検出コイル（Ｌ２、Ｌ４、Ｌ５、Ｌ７）の何れかで最大のインピーダンス変化が検出された場合、制御部１０は、携帯端末２３の受電コイル２４が２つの充電コイルの間に跨って置かれたと判断する。そして、制御部１０は、最大のインピーダンス変化が検出された検出コイルの左右両隣（検出コイルの配列方向における両隣）の検出コイルにおけるインピーダンス変化も参照する。次に、制御部１０は、これら左右両隣の検出コイルにおいて検出されたインピーダンス変化の大小を比較する。図１０の例では、検出コイルＬ４において最大のインピーダンス変化が検出されたため、制御部１０は、左右の検出コイルＬ３、Ｌ５におけるインピーダンス変化を参照する。図１０の例では、右側の検出コイルＬ５のインピーダンス変化の方が大きい。この結果から、制御部１０は、携帯端末２３の受電コイル２４が、検出コイルＬ４の中心に対して右側（検出コイルＬ５寄り）にずれていると判断し、検出コイルＬ４が跨る２つの充電コイルＬｃ２、Ｌｃ３の内、右側（検出コイルＬ５寄り）の充電コイルＬｃ３を選択する。
【００４８】
このようにして、置かれた受電コイル２４の位置に対し、最適な充電コイルが選択される。
【００４９】
以上のように、充電コイルのほぼ真上に配置されている検出コイルを第１の組の検出コイルとする。そして隣り合う２つの充電コイルに跨って配置されている検出コイルを第２の組の検出コイルとする。このように対応付け、何れの組に属する検出コイルで最大のインピーダンス変化が検出されるかによって、制御部１０の動作が決定される。本実施の形態のように、同じ組に属する検出コイルが検出コイル基板９の表面と裏面に分かれて形成されていても良い。
【産業上の利用可能性】
【００５０】
以上のように、本発明の携帯端末充電装置では、電力ロスが小さく、また、電磁波を使用する他の機器への影響を抑えることができる。そのため、特に、自動車の車内に設置した場合、車載ラジオへの影響を低減することができ。車載の充電装置として有用である。
【符号の説明】
【００５１】
１    自動車
２    車室
３    ハンドル
４    電子機器
５    携帯端末充電装置
６    支持板
７    本体ケース
８    充電コイル基板
９    検出コイル基板
１０    制御部
１１，Ｌｃ１，Ｌｃ２，Ｌｃ３，Ｌｃ４，Ｌｃ５    充電コイル
１２，Ｌ１，Ｌ２，Ｌ３，Ｌ４，Ｌ５，Ｌ６，Ｌ７，Ｌ８，Ｌ９    検出コイル
１３    検出コイル駆動部
１４    充電コイル駆動部
１５    自励発振回路
１６    検出コイル選択回路
１７    インピーダンス測定回路
１８    充電回路
１９    充電コイル選択回路
２０    ＤＣ−ＤＣコンバータ
２１    フルブリッジインバータ
２２    電源スイッチ
２３    携帯端末
２４    受電コイル
【図１】
2016002205.tif 000003
【図２】
2016002205.tif 000004
【図３】
2016002205.tif 000005
【図４】
2016002205.tif 000006
【図５】
2016002205.tif 000007
【図６】
2016002205.tif 000008
【図７】
2016002205.tif 000009
【図８】
2016002205.tif 000010
【図９】
2016002205.tif 000011
【図１０】
2016002205.tif 000012
【国際調査報告】
2016002205.tif 000013
2016002205.tif 000014
2016002205.tif 000015